【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
音声データと映像データとをネットワークを介して送信する送信装置であって、
音声データを符号化する音声データ符号化部と、
音声データと映像データとを多重化して、又は映像データのみを単独で符号化する複合データ符号化部と、
設定された動作モードに対応して、前記音声データ符号化部及び前記複合データ符号化部それぞれによる符号化を制御する符号化制御部と、
前記音声データ符号化部及び前記複合データ符号化部それぞれの符号化出力を送信するデータ送信部と
を備え、
前記符号化制御部は、設定された動作モードが第１の動作モードである場合には、音声データを前記音声データ符号化部に供給して当該音声データの符号化出力を生成させるとともに、映像データを前記複合データ符号化部に供給して当該映像データのみの符号化出力を生成させる一方、設定された動作モードが第２の動作モードである場合には、音声データ及び映像データをともに前記複合データ符号化部に供給して音声データと映像データとを多重化した符号化出力を生成させる
ことを特徴とする送信装置。
【請求項２】
ネットワークの状況を解析するネットワーク情報解析部を備え、
該ネットワーク情報解析部が、ネットワークの状況が悪化したと判断した場合には、前記符号化制御部は、設定された動作モードが第２の動作モードである場合であっても、その動作モードを第２の動作モードから第１の動作モードに切り替える
ことを特徴とする請求項１記載の送信装置。
【請求項３】
前記ネットワーク情報解析部は、
受信装置から供給されるネットワークの遅延状況を示すネットワーク情報に基づいてネットワークの状況の悪化を判断する
ことを特徴とする請求項２記載の送信装置。
【請求項４】
前記データ送信部は、
前記第１の動作モードである場合は、前記音声データ符号化部からの音声データの符号化出力を、前記複合データ符号化部からの映像データのみの符号化出力に対し、優先してデータ送信する
ことを特徴とする請求項１記載の送信装置。
【請求項５】
音声データと映像データとをネットワークを介して受信する受信装置であって、
符号化された音声データを復号する音声データ復号化部と、
符号化されて多重化された音声データ及び映像データを分離して復号化し、又は単独で  符号化された映像データを復号化する複合データ復号化部と、
ネットワークを介して、符号化された音声データ、単独で符号化された映像データ、又は符号化されて多重化された音声データ及び映像データを受信し、受信データが符号化されて多重化された音声データ及び映像データである場合は、受信データを前記複合データ復号化部に供給する一方、受信データが符号化された音声データと映像データである場合は、当該音声データを前記音声データ復号化部に、当該映像データを前記複合データ復号化部に供給するデータ受信部と
を備えていることを特徴とする受信装置。
【請求項６】
前記データ受信部の受信データに基づきネットワークの遅延状況を示すネットワーク情報を生成するネットワーク情報生成部が設けられ、
生成されたネットワーク情報は送信装置へ送信される
ことを特徴とする請求項５記載の受信装置。 
【請求項７】
音声データと映像データとをネットワークを介して通信する送信装置又は受信装置であって、
音声データと映像データとの同期が不要な「テレビ電話モード」と、
音声データと映像データとの同期が必要な「コンテンツ送信モード」と、
これらのモードの設定変更を行なうモード設定変更部と
を備えていることを特徴とする送信装置又は受信装置。
【請求項８】
請求項１記載の送信装置と、
請求項５記載の受信装置と、
を有する通信システム。
【請求項９】
請求項３記載の送信装置と、
請求項６記載の受信装置と、
を有する通信システム。
【手続補正２】
【補正対象書類名】明細書
【補正対象項目名】発明の名称
【補正方法】変更
【補正の内容】
【発明の名称】送信装置、受信装置、及び通信システム
【手続補正３】
【補正対象書類名】明細書
【補正対象項目名】０００１
【補正方法】変更
【補正の内容】
【０００１】
本発明は、音声データと映像データとを符号化して送信する送信装置、符号化された音声データと映像データとを受信する受信装置、及びこれらを有する通信システムに関する。
【手続補正４】
【補正対象書類名】明細書
【補正対象項目名】００１２
【補正方法】変更
【補正の内容】
【００１２】
本発明は、上記課題に基づいて創案されたもので、テレビ電話のような音声のレスポンスが要求されるケースと、コンテンツ送信のような映像と音声との同期が必要なケースとの両方に対応可能な送信装置、受信装置、及びこれらを有する通信システムを提供することを目的とする。
【手続補正５】
【補正対象書類名】明細書
【補正対象項目名】００１３
【補正方法】変更
【補正の内容】
【００１３】
上記課題を解決するために、本発明に係る送信装置は、音声データと映像データとをネットワークを介して送信する送信装置であって、音声データを符号化する音声データ符号化部と、音声データと映像データとを多重化して、又は映像データのみを単独で符号化する複合データ符号化部と、設定された動作モードに対応して、音声データ符号化部及び複合データ符号化部それぞれによる符号化を制御する符号化制御部と、音声データ符号化部及び複合データ符号化部それぞれの符号化出力を送信するデータ送信部とを備え、符号化制御部は、設定された動作モードが第１の動作モードである場合には、音声データを音声データ符号化部に供給して当該音声データの符号化出力を生成させるとともに、映像データを複合データ符号化部に供給して当該映像データのみの符号化出力を生成させる一方、設定された動作モードが第２の動作モードである場合には、音声データ及び映像データをともに複合データ符号化部に供給して音声データと映像データとを多重化した符号化出力を生成させることを特徴とする。
【手続補正６】
【補正対象書類名】明細書
【補正対象項目名】００１４
【補正方法】変更
【補正の内容】
【００１４】
また、本発明に係る送信装置は、さらに、ネットワークの状況を解析するネットワーク情報解析部を備え、ネットワーク情報解析部が、ネットワークの状況が悪化したと判断した場合には、符号化制御部は、設定された動作モードが第２の動作モードである場合であっても、その動作モードを第２の動作モードから第１の動作モードに切り替えることを特徴とする。
【手続補正７】
【補正対象書類名】明細書
【補正対象項目名】００１５
【補正方法】変更
【補正の内容】
【００１５】
また、本発明に係る送信装置においては、そのネットワーク情報解析部は、受信装置から供給されるネットワークの遅延状況を示すネットワーク情報に基づいてネットワークの状況の悪化を判断することを特徴とする。
【手続補正８】
【補正対象書類名】明細書
【補正対象項目名】００１６
【補正方法】変更
【補正の内容】
【００１６】
また、本発明に係る送信装置は、そのデータ送信部は、第１の動作モードである場合は、音声データ符号化部からの音声データの符号化出力を、複合データ符号化部からの映像データのみの符号化出力に対し、優先してデータ送信することを特徴とする。
【手続補正９】
【補正対象書類名】明細書
【補正対象項目名】００１７
【補正方法】変更
【補正の内容】
【００１７】
また、本発明に係る受信装置は、音声データと映像データとをネットワークを介して受信する受信装置であって、符号化された音声データを復号する音声データ復号化部と、符号化されて多重化された音声データ及び映像データを分離して復号化し、又は単独で符号化された映像データを復号化する複合データ復号化部と、ネットワークを介して、符号化された音声データ、単独で符号化された映像データ、又は符号化されて多重化された音声データ及び映像データを受信し、受信データが符号化されて多重化された音声データ及び映像データである場合は、受信データを複合データ復号化部に供給する一方、受信データが符号化された音声データと映像データである場合は、当該音声データを音声データ復号化部に、当該映像データを複合データ復号化部に供給するデータ受信部とを備えていることを特徴とする。
【手続補正１０】
【補正対象書類名】明細書
【補正対象項目名】００１８
【補正方法】変更
【補正の内容】
【００１８】
また、本発明に係る送信装置又は受信装置は、音声データと映像データとをネットワークを介して通信する送信装置又は受信装置であって、音声データと映像データとの同期が不要な「テレビ電話モード」と、音声データと映像データとの同期が必要な「コンテンツ送信モード」と、これらのモードの設定変更を行なうモード設定変更部とを備えていることを特徴とする。
【手続補正１１】
【補正対象書類名】明細書
【補正対象項目名】００１９
【補正方法】変更
【補正の内容】
【００１９】
本発明に係る送信装置、受信装置、及び通信システムによれば、テレビ電話を行う際には音声の遅延ができるだけ少なくなるように音声を優先して送信し、コンテンツを送信する際には映像と音声を同期させて送信することが可能となる。また、ネットワークの遅延状況が悪化した場合には、音声を優先するように切り替えることが可能となる。
【手続補正１２】
【補正対象書類名】明細書
【補正対象項目名】０１６９
【補正方法】変更
【補正の内容】
【０１６９】
以上、本発明の送信装置、受信装置、及び通信システムの実施の形態について説明したが、その具体的構成及び制御手順は、上述した実施の形態に示した具体的構成及び制御手順に限られるものではなく、種々の変形例が可能である。